(57)【要約】【課題】  オペレータの指示によって都合のいいときに中断したジョブの再印刷を開始できる画像形成装置を提供する。【解決手段】  １ページ分の画像が完成してから給紙、印刷を行う画像形成装置において、印刷を途中で保存終了させるための中断終了キーを有する操作パネル１０１、中断終了キーを押下されたときには途中のデータを不揮発性記憶装置１１０へ蓄積して終了し、オペレータの指示によってデータの再送なしに再印刷する制御を行う設定内容管理手段１０５を備えた。【選択図】  図１
2006035533.tif 000002
【特許請求の範囲】
【請求項１】
１ページ分の画像が完成してから給紙、印刷を行う画像形成装置において、印刷を途中で保存終了させるための中断終了キーを有する操作パネルと、前記中断終了キーを押下されたときには途中のデータを不揮発性記憶装置へ蓄積して終了し、オペレータの指示によってデータの再送なしに再印刷する制御を行う設定内容管理手段とを備えたことを特徴とする画像形成装置。
【請求項２】
請求項１の画像形成装置において、蓄積したデータを前記不揮発性記憶装置に蓄積文書として保存して、所望のジョブを再度印刷する文書保存手段を有し、該文書保存手段に保存された文書は蓄積文書として扱い、蓄積文書のリストからの再印刷や消去の指定を行うことを特徴とする画像形成装置。
【請求項３】
請求項１の画像形成装置において、ジョブの最終ページまで全ての印刷データを展開してから印刷する展開印刷手段を有し、展開印刷手段は、ジョブ全ての印刷が完了するまでは印刷完了したページのページバッファも破棄することなく保存しておき、中断終了キーによって中断終了された場合は、そのジョブの先頭から全てのページの展開データを保存して終了し、オペレータの指示によってデータの再送なしにジョブの先頭から再印刷することを特徴とする画像形成装置。
【請求項４】
請求項３の画像形成装置において、ジョブの最終ページまで全ての印刷データを展開してから印刷する文書保存手段を有し、保存された文書は蓄積文書として扱い蓄積文書のリストから指定することを特徴とする画像形成装置。
【請求項５】
請求項３または４の画像形成装置において、印刷完了したページ数を記憶し、再印刷の際には続きのページから印刷することを特徴とする画像形成装置。
【請求項６】
請求項５の画像形成装置において、未完了ジョブの途中ページから継続するか部の先頭から再印刷するかの選択が可能なことを特徴とする画像形成装置。
【請求項７】
請求項６の画像形成装置において、未完了ジョブの途中ページから継続するか、部の先頭から再印刷するかをステープルやパンチを含む後処理の指定によって選択することを特徴とする画像形成装置。
【発明の詳細な説明】
【技術分野】
【０００１】
本発明は、プリンタ、コピー、ファクス等の画像形成装置に関する。
【背景技術】
【０００２】
画像形成装置において、ページ数の多いジョブを印刷中に、他のジョブを優先的に印刷したい場合がある。従来技術として、先のジョブの印刷を一旦停止させ、他の優先ジョブを先に印刷した後で元のジョブを再開させる割り込み機能や、ジョブを途中から削除してしまうジョブキャンセル機能が存在する(例えば特許文献１、２参照)。
【特許文献１】特開平７−１３７３５９号公報
【特許文献２】特開２００３−１２７４７０公報
【発明の開示】
【発明が解決しようとする課題】
【０００３】
しかし、割り込み機能では、割り込んだジョブと先のジョブの排紙結果が混在してしまうことがある。また、ジョブキャンセル機能では、未完了部分のデータそのものが消去されてしまうため、再印刷の際にはホストからデータを再送しなければいけないという手間が発生する。
本発明は、オペレータの指示によって都合のいいときに中断したジョブの再印刷を開始できる画像形成装置を提供することを目的とする。
【課題を解決するための手段】
【０００４】
上記目的を達成するために、請求項１記載の発明は、１ページ分の画像が完成してから給紙、印刷を行う画像形成装置において、印刷を途中で保存終了させるための中断終了キーを有する操作パネルと、前記中断終了キーを押下されたときには途中のデータを不揮発性記憶装置へ蓄積して終了し、オペレータの指示によってデータの再送なしに再印刷する制御を行う設定内容管理手段とを備えたことを特徴とする。
請求項２記載の発明は、請求項１の画像形成装置において、蓄積したデータを前記不揮発性記憶装置に蓄積文書として保存して、所望のジョブを再度印刷する文書保存手段を有し、該文書保存手段に保存された文書は蓄積文書として扱い、蓄積文書のリストからの再印刷や消去の指定を行うことを特徴とする。
請求項３記載の発明は、請求項１の画像形成装置において、ジョブの最終ページまで全ての印刷データを展開してから印刷する展開印刷手段を有し、展開印刷手段は、ジョブ全ての印刷が完了するまでは印刷完了したページのページバッファも破棄することなく保存しておき、中断終了キーによって中断終了された場合は、そのジョブの先頭から全てのページの展開データを保存して終了し、オペレータの指示によってデータの再送なしにジョブの先頭から再印刷することを特徴とする。
請求項４記載の発明は、請求項３の画像形成装置において、ジョブの最終ページまで全ての印刷データを展開してから印刷する文書保存手段を有し、保存された文書は蓄積文書として扱い蓄積文書のリストから指定することを特徴とする。
請求項５記載の発明は、請求項３または４の画像形成装置において、印刷完了したページ数を記憶し、再印刷の際には続きのページから印刷する画像形成装置を主要な特徴とする。
請求項６記載の発明は、請求項５の画像形成装置において、未完了ジョブの途中ページから継続するか部の先頭から再印刷するかの選択が可能な画像形成装置を主要な特徴とする。
請求項７記載の発明は、請求項６の画像形成装置において、未完了ジョブの途中ページから継続するか、部の先頭から再印刷するかをステープルやパンチを含む後処理の指定によって選択する画像形成装置を主要な特徴とする。
【発明の効果】
【０００５】
本発明によれば、印刷途中に中断終了キーを押下された場合は残りのデータを保存して終了するので、オペレータの指示なしに、割り込まれたジョブの後に自動再開されて排紙結果が混在したり、ジョブキャンセルのように印刷されていないページのデータが消去されることもなく、オペレータの都合のいいときに中断終了したジョブの再印刷を、ホストからのデータの再送なしに実行することができる。
また、蓄積文書の再印刷と同じように中断終了したジョブの再開が可能なので、印刷を再開するための手順がオペレータにとって分かり易くなる。
また、中断終了されたジョブの全ページのデータが保存されるので、ホストからのデータの再送なしに、中断したジョブの先頭からの印刷再開が可能となり、ステープル等の先頭ページから連続して印刷しないと実現できない後処理の実行も可能となる。
また、全ページのデータを保存終了した際にも蓄積文書の再印刷と同じように中断終了したジョブの再開が可能なので、印刷を再開するための手順がオペレータにとって分かり易くなる。
また、印刷完了したページ数を保存しておき、再印刷の際には続きのページから印刷するので、一度印刷されたページを二度印刷することがなくなり資源の無駄を省くことができる。
また、中断終了したジョブの再印刷の際に、ジョブの先頭からか続きのページからかをユーザーが指定できるので、ユーザーの使用状況に合わせて効率的な再開方法を選択することができる。
また、中断終了されたジョブの後処理設定を記憶しておき、再印刷指定時にはその内容によって適切なページより継続印刷されるので、ユーザーが意識することなく後処理の実現を優先し、かつジョブの先頭からの印刷が不要な場合には同じページを二度印刷する無駄を抑えることができる。
【発明を実施するための最良の形態】
【０００６】
以下、図面を参照して、本発明の実施形態を詳細に説明する。
図１は本発明の実施形態に係るプリンタのブロック図である。本プリンタにおいて、操作パネル１０１は、ＬＣＤやＬＥＤ等の情報表示部と入力キーを持ち、印刷条件等の設定内容の確認と設定の変更を指示する。また、ＬＣＤへのメッセージ表示やＬＥＤの点灯によってアラート等の状態表示を行う。
記憶装置１０２は、ＨＤＤやＮＶＲＡＭ等の不揮発性メモリによって、各種設定内容の初期値や現在の設定値を記憶する。エンジン１０３は、画像形成部や給排紙トレイ、用紙搬送部を示す。画面制御部１０４は、操作パネル１０１に表示する内容やＬＥＤの点灯を制御し、キー入力を設定内容管理部１０５に伝える。
設定内容管理部１０５は、記憶装置１０２から読み込んだ各種設定内容と、画面制御部１０４から受け取るキー入力と、エンジンＩ／Ｆ１０６を通じて受け取るエンジン情報によって現在の設定内容を決定し、それを画面制御部１０４とエンジンＩ／Ｆ１０６を通じて通知する。また、記憶装置１０２への記憶を行う。
エンジンＩ／Ｆ１０６は、給紙トレイにセットされた用紙サイズ等のエンジン情報をエンジン１０３から受け取って設定内容管理部１０５へ渡す。また、ビデオデータをエンジン１０３へ送信する。データ受信部１０７は、ホストコンピュータからのデータを受信する。
データ処理部１０８は、受信したデータを処理し、改ページ処理までを１ページ分のページバッファに展開する。また、ページバッファに展開されたデータを大容量記憶装置１１０にジョブ単位で蓄積する。ビデオ処理部１０９は、ページバッファをビデオデータとしてエンジンＩ／Ｆ１０６を介してエンジン１０３へ送信する。大容量記憶装置１１０は、ＨＤＤ等の不揮発性メモリによってページバッファに展開されたデータをジョブ単位で蓄積する。
プリンタがデータ受信から印刷出力するまでの概要を説明する。
＜１ページ分のデータ処理が終了したら印刷を開始する場合＞
１．ホストコンピュータからデータを受信する。
２．受信したデータ内容に従い順次展開処理し、ページバッファを作成する。
３．１ページ分の展開処理が完了したらエンジン１０３へ送信して印刷する。
４．受信データが続いている場合は２．以降を繰り返す。
＜１ジョブ分のデータ処理を完了してから印刷を開始する場合＞
１．ホストコンピュータからデータを受信する。
２．受信したデータ内容に従い順次展開処理し、大容量記憶装置１１０へ蓄積する。
３．１ジョブ分の展開処理が完了したらエンジン１０３へ送信して印刷する。
４．印刷完了後も保存する蓄積型ジョブ以外の場合は大容量記憶装置１１０から消去する。
５．受信データが続いている場合は２．以降を繰り返す。
【０００７】
（実施例１）
図２は実施例１の全体動作フローチャートである。操作パネル１０１の図示しない中断終了キーが押下された場合、操作パネル１０１より設定内容管理部１０５へキー入力が伝わり、エンジンＩ／Ｆ１０６を介してエンジン１０３に次の給紙動作を停止させる。そして、以降のページバッファに展開されたデータを大容量記憶装置１１０に保存して終了する（Ｓ２０１ないしＳ２０９）。
図３は実施例１の再印刷動作フローチャートである。オペレータが操作パネル１０１よりこの保存された文書の再印刷を指定した場合は、保存されたデータをエンジン１０３へ送信して印刷を行う（Ｓ３０１ないしＳ３０３）。
（実施例２）
図４は実施例２の再印刷動作フローチャートである。実施例１でのデータ保存の際に（Ｓ２０８）蓄積型文書として保存する。ただし、中断されたジョブと識別できるように蓄積情報を追加する。蓄積文書の印刷指定画面においては、中断されたジョブの識別情報によって他の蓄積文書と表示上の区別を設けることによって（例えば文書名の先頭にマークを追加する等）オペレータは中断終了された文書の識別を行う（Ｓ４０１ないしＳ４０３）。
（実施例３）
図５は実施例３、４の全体動作フローチャートである。１ジョブ分の展開処理を完了してから印刷を開始するタイプのプリンタにおいて、中断終了キーが押下された場合は印刷動作を停止した後、該当ジョブの蓄積データを消去せずに保存して終了する（Ｓ５０１ないしＳ５１１）。そして、オペレータが操作パネル１０１よりこの保存された文書の再印刷を指定した場合は、保存されたデータをエンジンへ送信して印刷を行う（図３参照）。
（実施例４）
実施例３でのデータ保存の際に蓄積型文書として保存する（Ｓ５１１’）。ただし、中断されたジョブと識別できるように蓄積情報を追加する。蓄積文書の印刷指定画面においては、中断されたジョブの識別情報によって他の蓄積文書と表示上の区別を設けることによって（例えば文書名の先頭にマークを追加する等）オペレータは中断終了された文書の識別を行う（図４参照）。
【０００８】
（実施例５）
図６は実施例５の全体動作フローチャートである。ジョブの先頭からの排紙完了ページ数を随時カウントする。中断終了キー押下によってエンジン１０３が次の給紙動作を停止し、印刷中の用紙を排紙完了したら、そのページ数を中断されたジョブの蓄積情報の一部として大容量記憶装置１１０に記憶する。中断されたジョブの再印刷が指定された場合はビデオ処理部１０９によってジョブの先頭からのページ数を管理し、記憶されたページ数の次のページからエンジン１０３へ印刷指示を行う（Ｓ６０１ないしＳ６０４）。
（実施例６）
図７は実施例６、７の全体動作フローチャートである。中断されたジョブが存在する場合の継続動作の設定項目を設け、「先頭ページ」、「継続ページ」をユーザーが設定可能にする。蓄積文書から、中断終了したジョブの再印刷を指定された場合には、上記継続動作の設定内容を見て、ジョブの先頭から際印刷を開始するか、前回排紙完了した次のページから行うかを決定する（Ｓ７０１ないしＳ７０６）。
（実施例７）
ジョブが中断された場合、蓄積情報の後処理設定項目にステープル等の指定状態を記憶する。蓄積文書から、中断終了したジョブの再印刷を指定された場合には、上記後処理設定項目を見て、ステープル等が指定されている場合のみジョブの先頭から印刷し、他の場合については前回排紙完了した次のページから印刷を行う（図７参照）。
【図面の簡単な説明】
【０００９】
【図１】本発明の実施形態に係るプリンタのブロック図である。
【図２】実施例１の全体動作フローチャートである。
【図３】実施例１の再印刷動作フローチャートである。
【図４】実施例２の再印刷動作フローチャートである。
【図５】実施例３、４の全体動作フローチャートである。
【図６】実施例５の全体動作フローチャートである。
【図７】実施例６、７の全体動作フローチャートである。
【符号の説明】
【００１０】
１０１  操作パネル
１０５  設定内容管理部(設定内容管理手段)
１１０  大容量記憶装置(不揮発性記憶装置)
【図１】
2006035533.tif 000003
【図２】
2006035533.tif 000004
【図３】
2006035533.tif 000005
【図４】
2006035533.tif 000006
【図５】
2006035533.tif 000007
【図６】
2006035533.tif 000008
【図７】
2006035533.tif 000009